(57)【要約】【課題】  従来は１つのサービス画面を表示部へ出力しながら、新たなサービス画面を同じ表示部へ出力する手段がないか、又はマルチウィンドウ表示では、重要度が最上位よりも下位にあるサービス画面のウィンドウは隠れてしまう。【解決手段】  スケジュールソフト１０３を起動させたときは、表示制御部１０２はスケジュールデータ登録画面を表示部１０１に非透明で表示させてスケジュールサービス提供を開始する。この状態で、着信があり電話機能ソフト１０９が起動されると、表示制御部１０２は、着信画面出力情報の通知を電話機能ソフト１０９から受け、表示部１０１に出力されている現在の画面を維持し、２つ目のサービスである着信情報表示サービスの画面出力情報を半透明にして表示部１０１へ出力する。これにより、着信情報表示画面を通してスケジュールデータ登録画面が透けて見え、同時表示が可能となる。【選択図】            図１
2006107404.tif 000002
【特許請求の範囲】
【請求項１】
複数のサービスの提供を受ける機能を有すると共に、前記複数のサービスのそれぞれについてサービス提供時に、提供するサービスに対応したサービス画面を表示部に表示させる機能を有する情報端末装置であって、
前記複数のサービスのうち任意の一の第１のサービスの提供を受けるときに、該第１のサービスに対応した第１のサービス画面を前記表示部に表示する第１の表示制御手段と、
前記第１のサービス画面が前記表示部に表示されている時に、前記複数のサービスのうち前記第１のサービス以外の第２のサービスの提供を受けようとするときは、該第２のサービスに対応した第２のサービス画面を半透明として前記表示部に表示する第２の表示制御手段と
を有し、前記第１のサービス画面と前記第２のサービス画面とを前記表示部に同時表示することを特徴とする情報端末装置。
【請求項２】
前記第１及び第２のサービス画面が前記表示部に同時表示されている時に、前記複数のサービスのうち前記第１及び第２のサービス以外の一又は二以上の第３のサービスの提供を受けようとするときは、一又は二以上の該第３のサービスに対応した一又は二以上の第３のサービス画面を半透明とし、かつ、前記第２のサービス画面と互いに異なる領域で前記表示部に表示する第３の制御手段を更に有することを特徴とする請求項１記載の情報端末装置。
【請求項３】
複数のサービスの提供を受ける機能を有すると共に、前記複数のサービスのそれぞれについてサービス提供時に、提供するサービスに対応したサービス画面を表示部に表示させる機能を有する情報端末装置であって、
前記複数のサービスのそれぞれに対応した複数のサービス画面のうち、予め設定した表示の優先順位データが記憶されている優先順位記憶手段と、
前記複数のサービスのうち任意の一の第１のサービスの提供を受けるときに、該第１のサービスに対応した第１のサービス画面を前記表示部に表示する第１の表示制御手段と、
前記第１のサービス画面が前記表示部に表示されている時に、前記複数のサービスのうち前記第１のサービス以外の第２のサービスの提供を受けようとするときは、該第２のサービスに対応した第２のサービス画面と前記第１のサービス画面との表示の優先順位を、前記優先順位記憶手段から読み出した優先順位データに基づき判定する優先順位判定手段と、
前記優先順位判定手段により前記第２のサービス画面の方が、前記第１のサービス画面よりも優先するとの判定結果が得られたときには、前記第１のサービス画面及び前記第２のサービス画面のうちの一方を半透明とし、かつ、他方を非透明として前記表示部に表示する第２の表示制御手段と
を有し、前記第１のサービス画面と前記第２のサービス画面とを前記表示部に同時表示することを特徴とする情報端末装置。
【請求項４】
前記優先順位判定手段により前記第１のサービス画面の方が、前記第２のサービス画面よりも優先するとの判定結果が得られたときには、前記第２のサービス画面の前記表示部への表示を禁止する第３の表示制御手段を更に有することを特徴とする請求項３記載の情報端末装置。
【請求項５】
前記第１及び第２のサービス画面が前記表示部に同時表示されている時に、前記複数のサービスのうち前記第１及び第２のサービスよりも表示の優先順位の高い一又は二以上の第３のサービスの提供を受けようとするときは、一又は二以上の該第３のサービスに対応した一又は二以上の第３のサービス画面を半透明とし、かつ、前記第２のサービス画面と互いに異なる領域で前記表示部に表示する第４の制御手段を更に有することを特徴とする請求項３又は４記載の情報端末装置。
【請求項６】
前記複数のサービスは、スケジュール管理サービス、アドレス帳管理サービス、メール送受信サービス及びブラウザ閲覧サービスのうちの少なくとも一のサービスと、着信情報表示サービスとを含むことを特徴とする請求項１乃至５のうちいずれか一項記載の情報端末装置。
【請求項７】
複数のサービスの提供を受ける機能を有すると共に、前記複数のサービスのそれぞれについてサービス提供時に、提供するサービスに対応したサービス画面を表示部に表示させる機能を有する情報端末装置の表示制御方法であって、
前記複数のサービスのそれぞれに対応した複数のサービス画面のうち、表示の優先順位データを予め設定して記憶部に記憶する第１のステップと、
現在使用中のサービスがない状態で前記複数のサービスのうち任意の一の第１のサービスの提供を受けるときに、該第１のサービスに対応した第１のサービス画面を前記表示部に表示する第２のステップと、
前記第１のサービス画面が前記表示部に表示されている時に、前記複数のサービスのうち前記第１のサービス以外の第２のサービスの提供を受けようとするときは、該第２のサービスに対応した第２のサービス画面と前記第１のサービス画面との表示の優先順位を、前記記憶部から読み出した優先順位データに基づき判定する第３のステップと、
前記第３のステップにより前記第２のサービス画面の方が、前記第１のサービス画面よりも表示が優先するとの判定結果が得られたときには、前記第１のサービス画面及び前記第２のサービス画面のうちの一方を半透明とし、かつ、他方を非透明として前記表示部に表示する第４のステップと
を含み、前記第１のサービス画面と前記第２のサービス画面とを前記表示部に同時表示することを特徴とする情報端末装置の表示制御方法。
【請求項８】
前記第３のステップにより前記第１のサービス画面の方が、前記第２のサービス画面よりも表示が優先するとの判定結果が得られたときには、前記第２のサービス画面の前記表示部への表示を禁止する第５のステップを更に含むことを特徴とする請求項７記載の情報端末装置の表示制御方法。
【請求項９】
前記第１及び第２のサービス画面が前記表示部に同時表示されている時に、前記複数のサービスのうち前記第１及び第２のサービスよりも表示の優先順位の高い一又は二以上の第３のサービスの提供を受けようとするときは、一又は二以上の該第３のサービスに対応した一又は二以上の第３のサービス画面を半透明とし、かつ、前記第２のサービス画面と互いに異なる領域で前記表示部に表示する第６のステップを更に含むことを特徴とする請求項７又は８記載の情報端末装置の表示制御方法。
【請求項１０】
前記複数のサービスは、スケジュール管理サービス、アドレス帳管理サービス、メール送受信サービス及びブラウザ閲覧サービスのうちの少なくとも一のサービスと、着信情報表示サービスとを含むことを特徴とする請求項７乃至９のうちいずれか一項記載の情報端末装置の表示制御方法。
【発明の詳細な説明】
【技術分野】
【０００１】
本発明は情報端末装置及びその表示制御方法に係り、特に電話機能サービスとそれ以外の数々のサービスを連携させることが可能な携帯電話機等の情報端末装置及びその表示制御方法に関する。
【背景技術】
【０００２】
従来より、電話機能サービスと情報端末が持つ数々のサービス（スケジュール管理サービス、アドレス帳管理サービス、メール送受信サービス、ブラウザ閲覧サービス等）を連携させて、利便性を向上させた情報端末装置が種々提案されている（例えば、特許文献１及び２参照）。
【０００３】
特許文献１記載の従来の情報端末装置は、受信信号中に識別子が存在するかどうか判別し、その識別子に基づき、相手端末装置が自己と同一機種であると判別した時には、音声信号と共に相手端末装置の撮像部で撮像された発信者の画像の画像信号を受信信号から抽出して表示部に発信者の動画像をリアルタイムで表示する構成である。また、この特許文献１記載の従来の情報端末装置では、情報端末装置が有する電話機能を用いて着信を受けた時に、受信した発信者電話番号を表示することができ、また、アドレス帳に発信者番号と一致した番号が登録されている場合は、登録された名前や会社名、メモ等を情報端末上の表示部へ出力することができる。
【０００４】
また、特許文献２記載の従来の情報端末装置は、メールソフトやブラウザソフトと電話帳アドレスとを連携させて情報伝達の効率化を図るようにしたもので、例えば電話帳アドレス記憶部に記憶されたアドレスから選択した電話番号により回線インターフェース部を経由して発信した電話が接続しない場合に、電話帳アドレス記憶部に予め登録されている電話番号に対応するメールアドレスを検索して予め定めた順番で表示部に複数表示する手段を備えた構成である。
【０００５】
また、上記の従来の情報端末装置は、複数のウィンドウを同時に表示することが可能であるが、これら複数のウィンドウの重なり具合等を変更できるようにした情報端末装置も従来知られている（例えば、特許文献３及び４参照）。特許文献３記載の従来の情報端末装置は、アプリケーションプログラムの要求に応じて、端末装置の画面上に複数の表示画面を重ねて表示することが可能なマルチウィンドウ表示を行う装置であり、他のウィンドウの下に隠れているウィンドウを制御しているアプリケーションプログラムに例えば重要な障害が発生した場合、そのウィンドウを重要度に応じた位置に入れ替え、その位置で表示内容を表示させる構成である。
【０００６】
更に、特許文献４記載の従来の情報端末装置は、３次元空間に配置されたウィンドウを２次元平面でディスプレイ上に表示する際に、２次元平面で複数のウィンドウに重なりが生じた場合、重なり合っているウィンドウの表示色を合成することにより、重なり部分の表示色を決定する構成としたものである。
【０００７】
【特許文献１】特開２００２−３００６６５号公報
【特許文献２】特開２００３−２１９０５９号公報
【特許文献３】特開平５−２３３１９５号公報
【特許文献４】特開平９−１４６７５３号公報
【発明の開示】
【発明が解決しようとする課題】
【０００８】
しかしながら、特許文献１及び２記載の従来の情報端末装置では、携帯性が要求される情報端末では表示画面のサイズが制限されるため、１つのサービスで全画面を使用することが視野性等の理由から求められており、新たなサービスを提供するためには一旦画面をクリアして新たな画面を出力し直すことでサービスを提供しており、１つのサービス画面を表示部へ出力しながら、新たなサービス画面を同じ表示部へ出力する手段がなく、２つ目以降のサービス画面を表示部へ出力させたい場合は、起動している１つ目のサービスを終了して表示部を初期状態に戻し、その後２つ目のサービスを起動しなければならなかった。
【０００９】
また、特許文献３記載の従来の情報端末装置では、表示画面に複数のサービス画面を表示することは可能であるが、画面のサイズの制限から各サービスを表示する複数のウィンドウに重なりが生じ、そのうち重要度が高い画面／アプリケーションのウィンドウのみ最上位に表示されるものの、最上位よりも下位にあるサービス画面のウィンドウは隠れてしまう。
【００１０】
更に、特許文献４記載の従来の情報端末装置では、複数のウィンドウを表示するに際し、ウィンドウに重なりがある場合は、重なり合っているウィンドウの表示色を合成することにより、例えば重なり合っているウィンドウのうち、手前に見えるウィンドウほど高い濃度（濃い黒色）で表示し、手前のウィンドウが透けて後ろのウィンドウが見える構成が開示されているが、重なり合っているウィンドウについて表示する優先順が考慮されていない。
【００１１】
本発明は以上の点に鑑みなされたもので、同一の表示部に複数の画面を同時に表示すると共に、複数の画面に優先順を持たせ、優先度が高い画面ほど視覚的により優位に見せることが可能な情報端末装置及びその表示制御方法を提供することを目的とする。
【課題を解決するための手段】
【００１２】
上記の目的を達成するため、第１の発明の情報端末装置は、複数のサービスの提供を受ける機能を有すると共に、複数のサービスのそれぞれについてサービス提供時に、提供するサービスに対応したサービス画面を表示部に表示させる機能を有する情報端末装置であって、複数のサービスのうち任意の一の第１のサービスの提供を受けるときに、第１のサービスに対応した第１のサービス画面を表示部に表示する第１の表示制御手段と、第１のサービス画面が表示部に表示されている時に、複数のサービスのうち第１のサービス以外の第２のサービスの提供を受けようとするときは、第２のサービスに対応した第２のサービス画面を半透明として表示部に表示する第２の表示制御手段とを有し、第１のサービス画面と第２のサービス画面とを表示部に同時表示することを特徴とする。
【００１３】
この発明では、情報端末装置の使用者が、表示部において表示されている半透明の第２のサービス画面を通して非透明の第１のサービス画面を透かして見ることができる。
【００１４】
また、上記の目的を達成するため、第２の発明の情報端末装置は、第１及び第２のサービス画面が表示部に同時表示されている時に、複数のサービスのうち第１及び第２のサービス以外の一又は二以上の第３のサービスの提供を受けようとするときは、一又は二以上の第３のサービスに対応した一又は二以上の第３のサービス画面を半透明とし、かつ、第２のサービス画面と互いに異なる領域で表示部に表示する第３の制御手段を更に有することを特徴とする。
【００１５】
更に、上記の目的を達成するため、第３の発明の情報端末装置は、複数のサービスの提供を受ける機能を有すると共に、複数のサービスのそれぞれについてサービス提供時に、提供するサービスに対応したサービス画面を表示部に表示させる機能を有する情報端末装置であって、複数のサービスのそれぞれに対応した複数のサービス画面のうち、予め設定した表示の優先順位データが記憶されている優先順位記憶手段と、複数のサービスのうち任意の一の第１のサービスの提供を受けるときに、第１のサービスに対応した第１のサービス画面を表示部に表示する第１の表示制御手段と、第１のサービス画面が表示部に表示されている時に、複数のサービスのうち第１のサービス以外の第２のサービスの提供を受けようとするときは、第２のサービスに対応した第２のサービス画面と第１のサービス画面との表示の優先順位を、優先順位記憶手段から読み出した優先順位データに基づき判定する優先順位判定手段と、優先順位判定手段により第２のサービス画面の方が、第１のサービス画面よりも優先するとの判定結果が得られたときには、第１のサービス画面及び第２のサービス画面のうちの一方を半透明とし、かつ、他方を非透明として表示部に表示する第２の表示制御手段とを有し、第１のサービス画面と第２のサービス画面とを表示部に同時表示することを特徴とする。
【００１６】
この発明では、表示部に第１のサービス画面が表示されている状態において、第１のサービス画面よりも優先順位の高い第２のサービス画面を表示するときには、第１のサービス画面及び第２のサービス画面のうちの一方を半透明とし、かつ、他方を非透明として表示部に表示することにより、第１のサービス画面と第２のサービス画面とを表示部に同時表示することができる。
【００１７】
また、上記の目的を達成するため、第４の発明の情報端末装置は、第３の発明における優先順位判定手段により第１のサービス画面の方が、第２のサービス画面よりも優先するとの判定結果が得られたときには、第２のサービス画面の表示部への表示を禁止する第３の表示制御手段を有することを特徴とする。この発明では、既にサービス画面が表示されている状態において、表示の優先順位が低い方のサービス画面を表示しないようにできる。
【００１８】
また、上記の目的を達成するため、第５の発明の情報端末装置は、第１及び第２のサービス画面が表示部に同時表示されている時に、複数のサービスのうち第１及び第２のサービスよりも表示の優先順位の高い一又は二以上の第３のサービスの提供を受けようとするときは、一又は二以上の第３のサービスに対応した一又は二以上の第３のサービス画面を半透明とし、かつ、第２のサービス画面と互いに異なる領域で表示部に表示する第４の制御手段を更に有することを特徴とする。この発明では、３以上のサービス画面を同時表示できる。
【００１９】
また、上記の目的を達成するため、第６の発明の情報端末装置は、第１乃至第５の発明の複数のサービスを、スケジュール管理サービス、アドレス帳管理サービス、メール送受信サービス及びブラウザ閲覧サービスのうちの少なくとも一のサービスと、着信情報表示サービスとを含むことを特徴とする。
【００２０】
また、上記の目的を達成するため、第７の発明の情報端末装置の表示制御方法は、複数のサービスの提供を受ける機能を有すると共に、複数のサービスのそれぞれについてサービス提供時に、提供するサービスに対応したサービス画面を表示部に表示させる機能を有する情報端末装置の表示制御方法であって、複数のサービスのそれぞれに対応した複数のサービス画面のうち、表示の優先順位データを予め設定して記憶部に記憶する第１のステップと、現在使用中のサービスがない状態で複数のサービスのうち任意の一の第１のサービスの提供を受けるときに、第１のサービスに対応した第１のサービス画面を表示部に表示する第２のステップと、第１のサービス画面が表示部に表示されている時に、複数のサービスのうち第１のサービス以外の第２のサービスの提供を受けようとするときは、第２のサービスに対応した第２のサービス画面と第１のサービス画面との表示の優先順位を、記憶部から読み出した優先順位データに基づき判定する第３のステップと、第３のステップにより第２のサービス画面の方が、第１のサービス画面よりも表示が優先するとの判定結果が得られたときには、第１のサービス画面及び第２のサービス画面のうちの一方を半透明とし、かつ、他方を非透明として表示部に表示する第４のステップとを含み、第１のサービス画面と第２のサービス画面とを表示部に同時表示することを特徴とする。
【００２１】
この発明では、表示部に第１のサービス画面が表示されている状態において、第１のサービス画面よりも優先順位の高い第２のサービス画面を表示するときには、第１のサービス画面及び第２のサービス画面のうちの一方を半透明とし、かつ、他方を非透明として表示部に表示することにより、第１のサービス画面と第２のサービス画面とを表示部に同時表示することができる。
【００２２】
また、上記の目的を達成するため、第８の発明の情報端末装置の表示制御方法は、第７の発明における第３のステップにより第１のサービス画面の方が、第２のサービス画面よりも表示が優先するとの判定結果が得られたときには、第２のサービス画面の表示部への表示を禁止する第５のステップを更に含むことを特徴とする。この発明では、最先に表示された表示の優先度の高い第１のサービス画面だけを表示できる。
【００２３】
また、上記の目的を達成するため、第８の発明の情報端末装置の表示制御方法は、第１及び第２のサービス画面が表示部に同時表示されている時に、複数のサービスのうち前記第１及び第２のサービスよりも表示の優先順位の高い一又は二以上の第３のサービスの提供を受けようとするときは、一又は二以上の該第３のサービスに対応した一又は二以上の第３のサービス画面を半透明とし、かつ、前記第２のサービス画面と互いに異なる領域で表示部に表示する第６のステップを更に含むことを特徴とする。
【００２４】
更に、上記の目的を達成するため、第１０の発明の情報端末装置の表示制御方法は、第７乃至第９の発明における複数のサービスが、スケジュール管理サービス、アドレス帳管理サービス、メール送受信サービス及びブラウザ閲覧サービスのうちの少なくとも一のサービスと、着信情報表示サービスとを含むことを特徴とする。
【発明の効果】
【００２５】
本発明によれば、表示部において表示されている半透明の第２のサービス画面を通して非透明の第１のサービス画面を透かして見ることができるため、同時に２つのサービス画面の表示ができ、特にサービス画面の表示の優先順を予め設定した場合は、表示部に第１のサービス画面が表示されている状態において、第１のサービス画面よりも優先順位の高い第２のサービス画面を表示するときには、第１のサービス画面及び第２のサービス画面のうちの一方を半透明とし、かつ、他方を非透明として表示部に表示することにより、第１のサービス画面と第２のサービス画面とを表示部に同時表示することができる。
【発明を実施するための最良の形態】
【００２６】
次に、発明を実施するための最良の形態について、図面と共に説明する。図１は本発明になる情報端末装置の一実施の形態のブロック図を示す。同図において、情報端末装置１００は、サービス画面を出力する表示部１０１と、サービス画面出力を制御する表示制御部１０２と、スケジュールサービスを提供するスケジュールソフト１０３と、アドレス帳サービスを提供するアドレス帳ソフト１０４と、アドレス帳ソフト１０４にて登録された情報を記憶するアドレス帳記憶部１０５と、メール送受信サービスを提供するメールソフト１０６と、ブラウザサービスを提供するブラウザソフト１０７と、電話機能を制御する電話機能ソフト１０９と、電話機能を利用するために回線への発着信を行う回線インターフェース部１０８とから構成されている。
【００２７】
次に、本実施の形態の動作について、図２のフローチャート及び図３の本発明の情報端末装置の一実施の形態の正面図を併せ参照して詳細に説明する。いま、１つ目のサービスとして、例えばスケジュールソフト１０３を起動させたものとすると、スケジュールソフト１０３は表示制御部１０２へ画面出力情報を通知する。これにより、表示制御部１０２は既に表示部１０１がサービス使用中かをチェックする（図２：ステップ２０１）。この場合どのサービスも使用していないので、表示制御部１０２は一旦表示部１０１の出力内容をクリアし（図２：ステップ２０２）、スケジュールソフト１０３から通知された画面出力情報を表示部１０１へ出力する（図２：ステップ２０３）。これにより、１つ目のサービスであるスケジュールソフト１０３は表示部１０１にスケジュールデータ登録画面を従来と同様に非透明で表示させてスケジュールサービス提供を開始する。以上をもって、１つ目のサービスを提供するための画面出力が終了する。
【００２８】
次に、２つ目のサービスとして電話機能により着信が入る場合を例にとって説明する。表示部１０１にスケジュールソフト１０３によるスケジュールデータ登録画面が表示されている状態において、回線インターフェース部１０８が着信信号を検出すると、電話機能ソフト１０９へ着信が入った旨を通知する。その際、回線インターフェース部１０８は発信者電話番号情報も併せて通知する。
【００２９】
電話機能ソフト１０９は、上記の着信入力通知に基づき、着信情報表示サービスを画面出力させるために表示制御部１０２へ着信画面出力情報を通知する。更に、電話機能ソフト１０９は、アドレス帳ソフト１０４が有するアドレス帳記憶部１０５へ発信者電話番号情報が登録されているか比較照合し、登録されている場合はその登録された電話番号に対応してアドレス帳記憶部１０５へ登録されている名前情報や会社名情報も併せて表示制御部１０２へ通知する。
【００３０】
表示制御部１０２は、着信画面出力情報の通知を電話機能ソフト１０９から受けると、表示部１０１がサービス使用中かを再度チェックする（図２：ステップ２０１）。このときは既に１つ目のサービスとしてスケジュールソフト１０３がサービス使用中であるため、表示制御部１０２は表示部１０１に出力されている現在の画面を維持し（図２：ステップ２０４）、２つ目のサービスである着信情報表示サービスの画面出力情報を半透明にして表示部１０１へ出力する。以上をもって、２つ目のサービスを提供するための画面出力が終了する。
【００３１】
これにより、情報端末装置１００の表示部１０１には、図３に示すように、１つ目のサービスであるスケジュールソフト１０３によるスケジュールデータ登録画面３０１が表示されている状態で、その上に２つ目のサービスである着信情報表示サービスによる着信情報表示画面３０２が半透明で表示されるため、情報端末装置１００の使用者は、着信情報表示画面３０２を通してスケジュールデータ登録画面３０１が透けて見え、スケジュールデータ登録画面３０１と着信情報表示画面３０２の両方を同時に見ることができる。
【００３２】
このように、本実施の形態では、スケジュールソフト１０３を起動してスケジュールデータ登録中に着信が入った場合でもスケジュールデータ登録操作を継続することが可能となり、スケジュールデータ登録操作を妨げることなく、着信時の発信者電話番号やアドレス帳と連携することにより表示可能な名前情報等を表示することができ、同時に２つの情報を表示することが可能となる。
【００３３】
なお、１つ目に起動したソフトは、本実施の形態ではスケジュールソフト１０３をあげたが、アドレス帳ソフト１０４、メールソフト１０６、ブラウザソフト１０７のいずれであってもよいことは勿論である。
【００３４】
次に、本発明の他の実施の形態について説明する。図４は本発明になる情報端末装置の他の実施の形態のブロック図を示す。同図中、図１と同一構成部分には同一符号を付してある。図４に示す実施の形態の情報端末装置４００は、サービス画面を出力する表示部１０１と、スケジュールサービスを提供するスケジュールソフト１０３と、アドレス帳サービスを提供するアドレス帳ソフト１０４と、アドレス帳ソフト１０４にて登録された情報を記憶するアドレス帳記憶部１０５と、メール送受信サービスを提供するメールソフト１０６と、ブラウザサービスを提供するブラウザソフト１０７と、電話機能を制御する電話機能ソフト１０９と、電話機能を利用するために回線への発着信を行う回線インターフェース部１０８と、サービス画面出力を制御する表示制御部４０１と、ソフト毎優先順位記憶部４０２とから構成されている。
【００３５】
本実施の形態の情報端末装置４００と図１に示した情報端末装置１００とを比較すると、本実施の形態では、情報端末装置１００の構成に加え、ソフト毎優先順位記憶部４０２が追加された構成であり、また表示制御部４０１の動作が表示制御部１０１のそれと若干異なる。
【００３６】
ソフト毎表示優先順位記憶部４０２は、情報端末装置４００内に含まれる全てのソフト毎に、表示部１０１へ複数のソフトを同時に表示する時の表示優先順位を記憶している。この表示優先順位は、１つ目に起動しているソフトよりも２つ目に起動したソフトの優先順位が高い場合に、２つ目に起動したソフトの画面出力を半透明で表示するために用いる。
【００３７】
次に、図４に示す本実施の形態の動作について、図５のフローチャートを併せ参照して詳細に説明する。いま、ソフト毎優先順位記憶部４０２には、スケジュールソフト１０３よりも電話機能ソフト１０９の方が優先順位が高いという情報が記憶されているとする。
【００３８】
いま、１つ目のサービスとして、図１の実施の形態の動作説明のときと同様に、スケジュールソフト１０３を起動させたものとすると、スケジュールソフト１０３は表示制御部４０１へ画面出力情報を通知する。これにより、表示制御部４０１は既に表示部１０１がサービス使用中かをチェックする（図５：ステップ５０１）。この場合どのサービスも使用していないので、表示制御部４０１は一旦表示部１０１の出力内容をクリアし（図５：ステップ５０２）、スケジュールソフト１０３から通知された画面出力情報を表示部１０１へ出力する（図５：ステップ５０３）。これにより、１つ目のサービスであるスケジュールソフト１０３は表示部１０１を使用してサービス提供を開始する。以上をもって、１つ目のサービスを提供するための画面出力が終了する。
【００３９】
次に、２つ目のサービスとして電話機能により着信が入る場合を例にとって説明する。表示部１０１にスケジュールソフト１０３によるスケジュールデータ登録画面が表示されている状態において、回線インターフェース部１０８が着信信号を検出すると、電話機能ソフト１０９へ着信が入った旨を通知する。その際、回線インターフェース部１０８は発信者電話番号情報も併せて通知する。
【００４０】
電話機能ソフト１０９は、上記の着信入力通知に基づき、着信情報表示サービスを画面出力させるために表示制御部４０１へ着信画面出力情報を通知する。更に、電話機能ソフト１０９は、アドレス帳ソフト１０４が有するアドレス帳記憶部１０５へ発信者電話番号情報が登録されているか比較照合し、登録されている場合はその登録された電話番号に対応してアドレス帳記憶部１０５へ登録されている名前情報や会社名情報も併せて表示制御部４０１へ通知する。
【００４１】
図１の実施の形態では、この２つ目のサービスの画面が半透明にして表示されるようにしたが、本実施の形態では、表示制御部４０１の動作として表示部１０１が既にサービス使用中と判断された場合（図５：ステップ５０１）、ソフト毎優先順位記憶部４０２にて保持されている２つのソフトの優先順位を比較する（図５：ステップ５０４）。２つ目のソフトの優先順位が１つ目のソフトの優先順位よりも高い場合は、１つ目のサービス画面の表示を維持し（図５：ステップ５０５）、２つ目のサービス画面を半透明で表示する（図５：ステップ５０６）。
【００４２】
しかし、ステップＳ５０４で２つ目のソフトの優先順位が１つ目のソフトの優先順位よりも低いか同一優先順位であると判定されたときには、表示制御部４０１は、２つ目のソフトが出力しようとするサービス画面情報を表示させず、１つ目のソフト、すなわち、優先順位が高い方のソフトのサービス画面だけを引き続き表示させる。
【００４３】
ここでは、ソフト毎優先順位記憶部４０２には、スケジュールソフト１０３よりも電話機能ソフト１０９の方が優先順位が高いという情報が記憶されているので、ステップ５０４においてＹＥＳ判定がなされ、サービス提供されたスケジュールソフト１０３の画面表示情報を表示部１０１へ出力維持しながら（図５：ステップ５０５）２つ目のサービスである電話機能ソフトの着信情報表示サービス画面を半透明にして表示部１０１へ出力する。以上をもって、画面出力表示処理が終了する。
【００４４】
これにより、情報端末装置１００の表示部１０１には、結果的には図１の実施の形態と同様に、図３に示すように、スケジュールソフト１０３によるスケジュールデータ登録画面３０１が表示されている状態で、その上にスケジュールソフトによるサービスよりも優先順位が高いサービスである着信情報表示サービスによる着信情報表示画面３０２が半透明で表示されるため、情報端末装置１００の使用者は、着信情報表示画面３０２を通してスケジュールデータ登録画面３０１が透けて見え、スケジュールデータ登録画面３０１と着信情報表示画面３０２の両方を同時に見ることができる。また、本実施の形態では、複数の画面に優先順を持たせ、優先度が高い画面ほど視覚的により優位に見せることができる。
【００４５】
なお、１つ目に起動したソフトは、本実施の形態でもスケジュールソフト１０３をあげたが、アドレス帳ソフト１０４、メールソフト１０６、ブラウザソフト１０７のいずれであってもよいことは勿論である。
【００４６】
なお、本発明は以上の実施の形態に限定されるものではなく、例えば、携帯電話機その他の携帯機器にも本発明を適用することができる。また、電話機能による着信が入った時の場合のみならず、アラーム等の自発的に発生する事象を持つサービスも半透明表示させるようにしてもよい。また、図１の実施の形態では、３つ以上のサービス画面を表示することも可能である。ただし、その場合は、表示部１０１の限られた表示面積の範囲内で識別可能な数のサービス画面とし、２つ目以降の複数のサービス画面は、透明で、かつ、画面内の表示領域を異ならせる必要がある。
【００４７】
更に、図４の実施の形態では、後から表示されるサービス画面の方が表示の優先順位が高い時には、それ以前の透明のサービス画面と表示領域が異なるように優先順位が高いサービス画面を表示してもよいし、それ以前の透明のサービス画面は非表示として優先順位が高いサービス画面だけを透明のサービス画面として最初のサービス画面と同時表示することも可能である。更には、図５のステップ５０６において、優先順位が高い方の２つ目のサービス画面の方を非透明で表示すると共に、優先順位が低い方の１つ目のサービス画面の方を透明で表示するように表示切替を行うようにしてもよい。
【図面の簡単な説明】
【００４８】
【図１】本発明の一実施の形態のブロック図である。
【図２】図１の動作説明用フローチャートである。
【図３】本発明の外観正面図の一例であり、２つのサービス画面が表示されていることを示す図である。
【図４】本発明の他の実施の形態のブロック図である。
【図５】図４の動作説明用フローチャートである。
【符号の説明】
【００４９】
１００、４００  情報端末装置
１０１  表示部
１０２、４０１  表示制御部
１０３  スケジュールソフト
１０４  アドレス帳ソフト
１０５  アドレス帳記憶部
１０６  メールソフト
１０７  ブラウザソフト
１０８  回線インターフェース部
１０９  電話機能ソフト
４０２  ソフト毎優先順位記憶部
【図１】
2006107404.tif 000003
【図２】
2006107404.tif 000004
【図３】
2006107404.tif 000005
【図４】
2006107404.tif 000006
【図５】
2006107404.tif 000007